(57)【要約】【課題】各種砂防情報のうち、様々な部署での活用が期待できる情報を一元管理し（情報の管理）、それらの情報を事務所の関係者で共有し（情報の共有）、日常業務で効率的に利用できる環境を提供する（情報の利用）ことを目的とした砂防関連情報管理システムを提供する。【解決手段】ユーザ情報を設定したシステム制御データベースと、砂防情報の基本情報として、識別番号をキーとして互いに関連付けられた砂防情報基本データベース、砂防情報基本ファイルデータおよび砂防情報基本地図データが保存された少なくとも１つの記憶手段と、システム制御データベースのユーザ情報を参照し、端末からのアクセスの許可を判定するシステム制御部と、システム制御部に接続され、砂防情報基本データベースの個別情報と砂防情報基本ファイルデータを端末に表示させる台帳管理部と、システム制御部と台帳管理部に接続され、砂防情報基本地図データを端末に表示させる砂防基盤図管理部とを含む。【選択図】図１
2011059818.tif 000002
【特許請求の範囲】
【請求項１】
通信ネットワークで接続された端末からのアクセスにより、予め保存された砂防情報を表示する砂防関連情報管理システムであって、
ユーザ情報を設定したシステム制御データベースと、前記砂防情報の基本情報として、識別番号をキーとして互いに関連付けられた砂防情報基本データベース、砂防情報基本ファイルデータおよび砂防情報基本地図データが保存された少なくとも１つの記憶手段と、
前記システム制御データベースの前記ユーザ情報を参照し、前記端末からのアクセスの許可を判定するシステム制御部と、
前記システム制御部に接続され、前記砂防情報基本データベースの個別情報と前記砂防情報基本ファイルデータを前記端末に表示させる台帳管理部と、
前記システム制御部と前記台帳管理部に接続され、前記砂防情報基本地図データを前記端末に表示させる砂防基盤図管理部
とを含むことを特徴とする砂防関連情報管理システム。
【請求項２】
前記砂防情報基本ファイルデータは、前記砂防情報基本ファイルデータのフォルダ名に前記識別番号を設定することで前記砂防情報基本データベースと関連付けられる請求項１に記載の砂防関連情報管理システム。
【請求項３】
前記砂防情報基本地図データは、前記砂防情報基本地図データの属性データに前記識別番号を設定することで前記砂防情報基本データベースと関連付けられる請求項１に記載の砂防関連情報管理システム。
【請求項４】
前記砂防情報の基本情報の種類には、砂防設備情報と、砂防指定地情報と、業務情報と、工事情報と、監視観測施設情報と、光ケーブル情報と、工事用道路情報と、災害記録情報と、ボーリング調査結果情報および事業箇所情報を含む請求項１に記載の砂防関連情報管理システム。
【請求項５】
前記台帳管理部は、前記砂防情報基本データベースの前記個別情報を前記端末に表示した画面に、
表示された前記個別情報と関連付けられた前記砂防情報基本ファイルデータを表示するための砂防情報基本ファイルデータ表示ボタンと、
表示された前記個別情報と関連付けられた前記砂防情報基本地図データを表示するための砂防情報基本地図データ表示ボタン
とを表示する処理を含む請求項１ないし４のいずれか１項に記載の砂防関連情報管理システム。
【請求項６】
前記台帳管理部は、前記砂防情報基本データベースの前記個別情報を前記端末に表示した画面に、表示された前記個別情報と関連付けられた前記砂防情報基本データベース内の他種類の前記砂防情報の基本情報を表示するための関連情報表示ボタンを表示する処理を含む請求項１ないし５のいずれか１項に記載の砂防関連情報管理システム。
【請求項７】
前記砂防基盤図管理部は、地図操作ツールバーを前記砂防情報基本地図データが表示された画面内に自由に配置できる請求項１ないし６のいずれか１項に記載の砂防関連情報管理システム。
【請求項８】
前記砂防基盤図管理部は、表示した前記砂防情報基本地図データ上で指定された地点の座標を計測する処理と、
表示した前記砂防情報基本地図データ上で複数地点により指定された区間の距離を計測する処理と、
表示した前記砂防情報基本地図データ上で複数地点により指定された区域の面積を計測する処理
とを含む請求項１ないし７のいずれか１項に記載の砂防関連情報管理システム。
【請求項９】
前記砂防基盤図管理部は、表示した前記砂防情報基本地図データ上で任意の範囲を指定させ、前記範囲に含まれる地図情報に設定された前記識別番号を前記台帳管理部に渡し、前記台帳管理部に、前記識別番号をキーに前記砂防情報基本データベースを検索させ、関連付けられている前記砂防情報基本データベースの前記個別情報を表示させる処理を含む請求項１ないし８のいずれか１項に記載の砂防関連情報管理システム。
【請求項１０】
前記砂防情報として、前記砂防情報基本地図データに前記識別番号をキーとして関連付けられた三次元地図データを前記記憶手段に保存し、前記砂防基盤図管理部に接続され、前記三次元地図データを前記端末に表示させる三次元解析部をさらに含む請求項１ないし９のいずれか１項に記載の砂防関連情報管理システム。
【請求項１１】
前記砂防情報として、前記事業箇所情報に前記識別番号をキーとして関連付けられた事業進捗データベースと事業進捗ファイルデータを前記記憶手段に保存し、前記台帳管理部に接続され、前記事業進捗データベースと前記事業進捗ファイルデータを前記端末に表示させる事業進捗管理部をさらに含む請求項４ないし１０のいずれか１項に記載の砂防関連情報管理システム。
【請求項１２】
前記砂防情報として、前記監視観測施設情報に前記識別番号をキーとして関連付けられた監視観測情報データベースと監視観測情報ファイルデータを前記記憶手段に保存し、前記台帳管理部に接続され、前記監視観測情報データベースと前記監視観測情報ファイルデータを前記端末に表示させる監視観測情報解析部をさらに含む請求項４ないし１１のいずれか１項に記載の砂防関連情報管理システム。
【発明の詳細な説明】
【技術分野】
【０００１】
本発明は、国土交通省の直轄砂防事業に関係する情報を、砂防事務所や砂防関係部署ごとに統合管理するための砂防関連情報管理システムに関する。
【背景技術】
【０００２】
直轄の砂防事務所および砂防関係部署では、各種事業の成果品や、日常業務で作成した各種資料など、毎年様々な砂防情報が蓄積されている。それらの情報は種類や内容によって利用頻度は異なるものの、事務所資産として他部署・出張所も含めて横断的に活用されている。
【０００３】
近年、気候変動などによる影響で、想定規模を超える自然災害が頻発しており、従来のハード対策に加えてソフト対策の重要性が注目されてきている。これにともない、砂防事務所および砂防関係部署によるソフト対策の基礎となる各種情報は、利用頻度に応じた適切な管理が求められる。
【０００４】
例えば、平成１３年４月１日に施行された土砂災害警戒区域等における土砂災害防止対策の推進に関する法律（以下土砂災害防止法という）では、「土砂災害の防止のための対策の推進を図る」ことを目的としている。
【０００５】
この目的を達成するために、基礎調査のもととなる危険箇所地理情報、基礎調査完了後に作成される土砂災害警戒区域情報、そして警戒区域指定を掲載した公示情報など、土砂災害防止のために作成される種々の情報を関連付けて管理する仕組みが特許文献１に開示されている。
【先行技術文献】
【特許文献】
【０００６】
【特許文献１】特開２００６−３１６６４号公報
【発明の概要】
【発明が解決しようとする課題】
【０００７】
しかしながら、特許文献１で開示された土砂災害警戒区域関連に特化した情報以外にも、砂防事務所および砂防関係部署で管理する砂防情報が存在する。
【０００８】
本発明は、各種砂防情報のうち、様々な部署での活用が期待できる情報を一元管理し（情報の管理）、それらの情報を事務所の関係者で共有し（情報の共有）、日常業務で効率的に利用できる環境を提供する（情報の利用）ことを目的とした砂防関連情報管理システムを提供する。
【課題を解決するための手段】
【０００９】
本発明は、通信ネットワークで接続された端末からのアクセスにより、予め保存された砂防情報を表示する砂防関連情報管理システムであって、ユーザ情報を設定したシステム制御データベースと、砂防情報の基本情報として、識別番号をキーとして互いに関連付けられた砂防情報基本データベース、砂防情報基本ファイルデータおよび砂防情報基本地図データが保存された少なくとも１つの記憶手段と、システム制御データベースのユーザ情報を参照し、端末からのアクセスの許可を判定するシステム制御部と、システム制御部に接続され、砂防情報基本データベースの個別情報と砂防情報基本ファイルデータを端末に表示させる台帳管理部と、システム制御部と台帳管理部に接続され、砂防情報基本地図データを端末に表示させる砂防基盤図管理部とを含むことを要旨とする。
【００１０】
本発明の砂防関連情報管理システムの砂防情報基本ファイルデータは、砂防情報基本ファイルデータのフォルダ名に識別番号を設定することで砂防情報基本データベースと関連付けられ、砂防情報基本地図データは、砂防情報基本地図データの属性データに識別番号を設定することで砂防情報基本データベースと関連付けられることを要旨とする。
【００１１】
また、本発明の砂防関連情報管理システムの砂防情報の基本情報の種類には、砂防設備情報と、砂防指定地情報と、業務情報と、工事情報と、監視観測施設情報と、光ケーブル情報と、工事用道路情報と、災害記録情報と、ボーリング調査結果情報および事業箇所情報を含むことを要旨とする。
【００１２】
本発明の砂防関連情報管理システムの台帳管理部は、砂防情報基本データベースの個別情報を端末に表示した画面に、表示された個別情報と関連付けられた砂防情報基本ファイルデータを表示するための砂防情報基本ファイルデータ表示ボタンと、表示された個別情報と関連付けられた砂防情報基本地図データを表示するための砂防情報基本地図データ表示ボタンとを表示する処理と、表示された個別情報と関連付けられた砂防情報基本データベース内の他種類の砂防情報の基本情報を表示するための関連情報表示ボタンを表示する処理とを含むことを要旨とする。
【００１３】
本発明の砂防関連情報管理システムの砂防基盤図管理部は、地図操作ツールバーを砂防情報基本地図データが表示された画面内に自由に配置でき、表示した砂防情報基本地図データ上で指定された地点の座標を計測する処理と、表示した砂防情報基本地図データ上で複数地点により指定された区間の距離を計測する処理と、表示した砂防情報基本地図データ上で複数地点により指定された区域の面積を計測する処理と、表示した砂防情報基本地図データ上で任意の範囲を指定させ、範囲に含まれる地図情報に設定された識別番号を台帳管理部に渡し、台帳管理部に、識別番号をキーに砂防情報基本データベースを検索させ、関連付けられている砂防情報基本データベースの個別情報を表示させる処理とを含むことを要旨とする。
【００１４】
本発明の砂防関連情報管理システムは、砂防情報として、砂防情報基本地図データに識別番号をキーとして関連付けられた三次元地図データを記憶手段に保存し、砂防基盤図管理部に接続され、三次元地図データを端末に表示させる三次元解析部を含むことを要旨とする。
【００１５】
また、本発明の砂防関連情報管理システムは、砂防情報として、事業箇所情報に識別番号をキーとして関連付けられた事業進捗データベースと事業進捗ファイルデータを記憶手段に保存し、台帳管理部に接続され、事業進捗データベースと事業進捗ファイルデータを端末に表示させる事業進捗管理部を含むことを要旨とする。
【００１６】
さらに、本発明の砂防関連情報管理システムは、砂防情報として、監視観測施設情報に識別番号をキーとして関連付けられた監視観測情報データベースと監視観測情報ファイルデータを記憶手段に保存し、台帳管理部に接続され、監視観測情報データベースと監視観測情報ファイルデータを端末に表示させる監視観測情報解析部を含むことを要旨とする。
【発明の効果】
【００１７】
本発明では、各種砂防情報を識別番号をキーとして互いに関連付けて記憶手段に保存し、砂防情報の種別ごとに対応する個々の管理部を設置し、互いに連携させることで、資料の作成、業務や工事の発注、現地調査、そして災害対応などに必要な砂防情報を迅速に検索し、画面に表示させることができる。
【図面の簡単な説明】
【００１８】
【図１】本実施の形態の砂防関連情報管理システムの構成図。
【図２】砂防情報の基本情報の関連図。
【図３】砂防情報の基本情報の関連の模式図。
【図４】砂防設備情報のデータ構成図。
【図５】砂防設備台帳ファイルのデータ例。
【図６】砂防設備完成図面ファイルのデータ例。
【図７】砂防設備完成写真ファイルのデータ例。
【図８】砂防設備点検台帳ファイルのデータ例。
【図９】砂防設備位置地図データの例。
【図１０】砂防指定地情報のデータ構成図。
【図１１】砂防指定地台帳ファイルのデータ例。
【図１２】砂防指定地区域図ファイルのデータ例。
【図１３】砂防指定地地番図ファイルのデータ例。
【図１４】砂防指定地地名・地番新旧対照表ファイルのデータ例。
【図１５】砂防指定地範囲地図データの例。
【図１６】業務情報のデータ構成図。
【図１７】業務成果品ファイルのデータ例。
【図１８】工事情報のデータ構成図。
【図１９】工事台帳ファイルのデータ例。
【図２０】工事完成図書ファイルのデータ例。
【図２１】監視観測施設情報のデータ構成図。
【図２２】監視観測施設台帳ファイルのデータ例。
【図２３】監視観測施設位置地図データの例。
【図２４】光ケーブル情報のデータ構成図。
【図２５】光ケーブル布設平面図ファイルのデータ例。
【図２６】光ケーブル位置地図データの例。
【図２７】工事用道路情報のデータ構成図。
【図２８】工事用道路台帳ファイルのデータ例。
【図２９】工事用道路位置地図データの例。
【図３０】災害記録情報のデータ構成図。
【図３１】災害発生位置地図データの例。
【図３２】ボーリング調査結果情報のデータ構成図。
【図３３】ボーリング交換用ファイルのデータ例。
【図３４】柱状図ファイルのデータ例。
【図３５】コア写真ファイルのデータ例。
【図３６】ボーリング位置地図データの例。
【図３７】事業箇所情報のデータ構成図。
【図３８】事業箇所地図データの例。
【図３９】事業箇所位置地図データの例。
【図４０】三次元地図データのデータ構成図。
【図４１】事業進捗情報のデータ構成図。
【図４２】事業進捗関連ファイルのデータ例。
【図４３】監視観測情報のデータ構成図。
【図４４】監視観測情報関連ファイルのデータ例。
【図４５】監視観測情報関連ファイルの別のデータ例。
【図４６】砂防関連情報管理システムの処理の第１流れ図。
【図４７】砂防関連情報管理システムの処理の第２流れ図。
【図４８】システム制御部によるトップページ。
【図４９】台帳管理部による情報検索ページ。
【図５０】台帳管理部による検索結果の表示例。
【図５１】台帳管理部による個別情報の表示例。
【図５２】砂防基盤図管理部による砂防情報基本地図データの表示例。
【図５３】台帳管理部による砂防指定地情報一覧の表示例。
【図５４】台帳管理部による砂防指定地情報の個別情報の表示例。
【図５５】砂防基盤図管理部による表示画面。
【図５６】砂防基盤図管理部による表示画面の地図操作ツールバー。
【図５７】砂防基盤図管理部による流域検索の表示例。
【図５８】砂防基盤図管理部による住所検索の表示例。
【図５９】砂防基盤図管理部による座標計測の表示例。
【図６０】砂防基盤図管理部による距離計測の表示例。
【図６１】砂防基盤図管理部による面積計測の表示例。
【図６２】砂防基盤図管理部による地図から検索の表示例。
【図６３】砂防基盤図管理部による地図から検索範囲指定の表示例。
【図６４】台帳管理部による砂防設備一覧の表示例。
【図６５】砂防基盤図管理部による三次元解析部の起動例。
【図６６】三次元解析部による断面図の表示例。
【図６７】三次元解析部による鳥瞰図の表示例。
【発明を実施するための形態】
【００１９】
本発明の実施の形態の砂防関連情報管理システムは、ウェブブラウザを通して、多人数で情報や地図を閲覧し、操作する目的で構築されたウェブ型の地理情報システム（ＧＩＳ）である。したがって、ユーザは、図１に示すように、通信ネットワーク２（たとえば事務所内のイントラネット）で接続された端末１から本発明の砂防関連情報管理システムにアクセスし、端末１に実装されたウェブブラウザにより、砂防関連情報管理システムに予め保存された砂防情報を端末１に表示し、利用する。
【００２０】
本発明の砂防関連情報管理システムは、通信ネットワーク２に接続されたコンピュータ（サーバともいう）上に実装される。砂防関連情報管理システムを実装する形態としては、１台のコンピュータに全機能を実装してもよいし、通信ネットワーク２に接続された複数のコンピュータに分散して実装してもよい。
【００２１】
また、砂防関連情報管理システムで扱う砂防情報は、コンピュータ内の記憶手段に保存しておいてもよいし、外部記憶装置を記憶手段として利用しても構わない。さらに、全データを１つの記憶手段に保存してもよいし、情報の種別ごとに別々の記憶手段に保存してもよい。
【００２２】
本発明の砂防関連情報管理システムを実施する形態としては、１台のコンピュータのみに実装する集約型でも、通信ネットワーク２に接続された複数のコンピュータと外部記憶装置に実装する分散型でも可能である。
【００２３】
本発明を実施するための最良の形態を説明する各図において、通信ネットワーク２で接続されたコンピュータ、記憶手段、および端末１の各台数や配置を具体的には図示していないが、本発明の機能が実現可能な範囲において、種々の配置の組み合わせが考え得る。
【００２４】
（システム構成）
砂防関連情報管理システムの構成について、図１を参照しながら説明する。
【００２５】
砂防関連情報管理システムは、少なくとも１つの記憶手段（図示せず）と、システム制御部１０と、システム制御部１０に接続された台帳管理部２０と、システム制御部１０と台帳管理部２０に接続された砂防基盤図管理部３０と、砂防基盤図管理部３０に接続された三次元解析部４０と、台帳管理部２０に接続された事業進捗管理部５０と監視観測情報解析部６０を含む。
【００２６】
（１）記憶手段
記憶手段には、ユーザ情報を設定したシステム制御データベース１１と、砂防情報の基本情報として、識別番号をキーとして互いに関連付けられた砂防情報基本データベース２１、砂防情報基本ファイルデータ２２および砂防情報基本地図データ３１が保存される。
【００２７】
ここで、砂防情報の基本情報の種類としては、図２に示すように、砂防設備情報２１０、砂防指定地情報２１１、業務情報２１２、工事情報２１３、監視観測施設情報２１４、光ケーブル情報２１５、工事用道路情報２１６、災害記録情報２１７、ボーリング調査結果情報２１８、事業箇所情報２１９などがある。それぞれの情報については後述する。
【００２８】
また、記憶手段には、砂防情報基本地図データ３１の付加情報として関連付けられた三次元地図データ４１が保存される。
【００２９】
さらに、記憶手段には、砂防情報の基本情報の中で事業箇所情報２１９の付加情報として関連付けられた事業進捗データベース５１と事業進捗ファイルデータ５２、監視観測施設情報２１４の付加情報として関連付けられた監視観測情報データベース６１と監視観測情報ファイルデータ６２が保存される。
【００３０】
（２）システム制御部１０
システム制御部１０は、システム制御データベース１１のユーザ情報を参照し、端末１からのアクセスの許可を判定する処理と、端末１に砂防情報を選択させるトップページを表示し、トップページで選択された情報の種別によって、台帳管理部２０か砂防基盤図管理部３０を起動する処理を行う処理部である。
【００３１】
（３）台帳管理部２０
台帳管理部２０は、台帳といわれる各砂防情報の諸元（名称、年月日、地名、構造、関連情報など）の検索・閲覧・更新を行う処理部である。
【００３２】
台帳管理部２０は、端末１から設定された検索条件によって砂防情報基本データベース２１を検索し、該当する砂防情報の一覧を端末１に表示し、一覧の中から個別情報を表示したい項目を選択させ、選択された砂防情報基本データベース２１と砂防情報基本ファイルデータ２２を端末１に表示する処理を行う。
【００３３】
ここで、一覧表示した項目の中で地図情報が選択された場合は、台帳管理部２０は、砂防基盤図管理部３０を起動する処理を行う。
【００３４】
また、砂防情報の基本情報の中の事業箇所情報２１９を表示した画面で、事業箇所情報２１９に関連付けられた事業進捗データベース５１が選択された場合は、台帳管理部２０は、事業進捗管理部５０を起動する処理を行う。
【００３５】
同様に、砂防情報の基本情報の中の監視観測施設情報２１４を表示した画面で、監視観測施設情報２１４に関連付けられた監視観測情報データベース６１が選択された場合は、台帳管理部２０は、監視観測情報解析部６０を起動する処理を行う。
【００３６】
（４）砂防基盤図管理部３０
砂防基盤図管理部３０は、直轄砂防事務所管内の各種地図情報（砂防設備位置、砂防基盤図、オルソ航空写真など）の閲覧を行う処理部である。
【００３７】
砂防基盤図管理部３０は、システム制御部１０が端末１に表示したトップページで砂防情報基本地図データ３１の項目が選択されることで、システム制御部１０から起動されると、まず管轄地域全体を示す砂防情報基本地図データ３１を端末１に表示し、その全体地図からさらに目的地域や施設を指定させて、該当する砂防情報基本地図データ３１を端末１に表示する処理を行う。
【００３８】
また、砂防基盤図管理部３０は、台帳管理部２０が端末１に表示した一覧から地図情報が選択されることで、台帳管理部２０から起動されると、項目に該当する砂防情報基本地図データ３１を端末１に表示する処理を行う。
【００３９】
さらに、砂防基盤図管理部３０は、端末１に表示した砂防情報基本地図データ３１と関連付けられている砂防情報基本データベース２１の表示を端末１から選択された場合は、台帳管理部２０を起動する処理を行う。
【００４０】
一方、砂防基盤図管理部３０は、端末１に表示した砂防情報基本地図データ３１に関連付けられている三次元地図データ４１の表示を端末１から選択された場合は、三次元解析部４０を起動する処理を行う。
【００４１】
（５）三次元解析部４０
三次元解析部４０は、直轄砂防事務所管内の各種地図上に描画した任意測線に沿った断面図、および任意範囲の三次元地図の閲覧を行う処理部である。
【００４２】
三次元解析部４０は、砂防基盤図管理部３０から起動され、砂防基盤図管理部３０によって表示されている砂防情報基本地図データ３１に関連付けられている三次元地図データ４１を端末１に表示する処理を行う。
【００４３】
（６）事業進捗管理部５０
事業進捗管理部５０は、計画もしくは現在進行している各種事業箇所（計画箇所／事業着手箇所／工事中箇所／既設箇所）の一覧と、各事業の詳細な進捗状況として、マトリックス表、ワークフロー図、およびタイムテーブルの閲覧を行う処理部である。
【００４４】
事業進捗管理部５０は、台帳管理部２０から起動され、砂防情報の基本情報の中の事業箇所情報２１９に関連付けられた事業進捗情報５１０である事業進捗データベース５１と事業進捗ファイルデータ５２を、端末１に表示する処理を行う。
【００４５】
（７）監視観測情報解析部６０
監視観測情報解析部６０は、直轄砂防事務所管内の雨量観測所で観測された監視観測情報（雨量データ）について、連続雨量、時間雨量、土壌雨量指数の一覧表とスネーク曲線の閲覧を行う処理部である。
【００４６】
監視観測情報解析部６０は、台帳管理部２０から起動され、砂防情報の基本情報の中の監視観測施設情報２１４に関連付けられた監視観測情報６１０である監視観測情報データベース６１と監視観測情報ファイルデータ６２を端末１に表示する処理を行う。
【００４７】
（データ構成）
本発明の砂防関連情報管理システムで利用されるデータには、ユーザ情報を設定したシステム制御データベース１１と、砂防情報の基本情報として、識別番号をキーとして互いに関連付けられた砂防情報基本データベース２１、砂防情報基本ファイルデータ２２および砂防情報基本地図データ３１がある。
【００４８】
さらに、本発明の砂防関連情報管理システムで利用されるデータには、砂防情報の付加情報として、砂防情報基本地図データ３１に関連付けられた三次元地図データ４１、事業箇所情報２１９に関連付けられた事業進捗データベース５１と事業進捗ファイルデータ５２、監視観測施設情報２１４に関連付けられた監視観測情報データベース６１と監視観測情報ファイルデータ６２がある。
【００４９】
（１）システム制御データベース１１
システム制御データベース１１は、本発明の砂防関連情報管理システムを利用するユーザ毎の、ユーザＩＤとパスワード、ユーザのアクセス権限などのユーザ情報が設定されたデータである。
【００５０】
他に、システム制御データベース１１には、砂防関連情報管理システム全体で使用するデータの値を統一するために、必要に応じてコード定義テーブルなどを設定する。
【００５１】
（２）砂防情報の基本情報
砂防情報の基本情報は、大別してテキストデータ、ファイルデータ、地図データという３種類の形式のデータから構成される。本発明の砂防関連情報管理システムでは、それぞれのデータを識別番号をキーとして互いに関連付けながら、砂防情報基本データベース２１、砂防情報基本ファイルデータ２２、砂防情報基本地図データ３１として管理する。
【００５２】
図３に、砂防情報基本データベース２１、砂防情報基本ファイルデータ２２、および砂防情報基本地図データ３１の関連付けの方式と、各々のデータ表示の例を模式的に示す。
【００５３】
台帳管理部２０は、砂防情報基本データベース２１に設定された識別番号によって、共有化させたフォルダのフォルダ名を検索し、一致する砂防情報基本ファイルデータ２２を読みだし、フォルダを表示する。
【００５４】
一方、砂防基盤図管理部３０は、砂防情報基本データベース２１に設定された識別番号によって、属性データを検索し、一致する砂防情報基本地図データ３１を読みだし、地図位置を表示する。
【００５５】
（ｉ）砂防情報基本データベース２１
テキストデータとは、砂防情報の主要項目を抽出したテキスト（文字情報）であり、データベースとして管理することで、データの検索、集計・計算を行うとともに、砂防情報間（例えば、砂防設備情報２１０と砂防指定地情報２１１）や、データ間（テキストデータと地図データ、テキストデータとファイルデータ）の連携を実現する。本発明の砂防関連情報管理システムでは、たとえば、オラクル（登録商標）のソフトウェア（ＲＤＢＭＳ）などを利用して、テキストデータをリレーショナルデータベース（ＲＤＢ）として管理する。
【００５６】
本発明の実施の形態の説明では、砂防情報の基本情報の各テキストデータ、およびＲＤＢＭＳで管理されたテキストデータ全体を指して、砂防情報基本データベース２１という。また、各識別番号ごとの個々のテキストデータを指す場合は、砂防情報基本データベース２１の個別情報という。
【００５７】
（ｉｉ）砂防情報基本ファイルデータ２２
ファイルデータとは、資料ファイル、図面ファイル、写真ファイルなど、砂防情報に関する各種ファイルデータ（ＰＤＦファイル、Ｅｘｃｅｌファイル、ＳＸＦファイル、Ｊｐｅｇファイルなど）であり、日常業務で普段から利用されている形式のデータであるため、取り扱いやすいのが特徴である。
【００５８】
資料ファイルとは、報告書や台帳、契約書、申請資料など、文字が主体で構成されている文書をスキャニングして作成したファイルのことである。
【００５９】
図面ファイルとは、建物・土木工事・機械などの構造・工程を詳細に示したものであり、ＣＡＤ製図が主体で構成されている書類のファイルのことである。
【００６０】
写真ファイルとは、構造物や現場などをカメラで撮影した画像ファイルのことである。
【００６１】
本発明の実施の形態の説明では、個々の砂防情報の基本情報のファイルデータを指して、砂防情報基本ファイルデータ２２という。
【００６２】
（ｉｉｉ）砂防情報基本地図データ３１
地図データとは、砂防情報の地理的な位置を示すデータであり、ＧＩＳデータともいう。地図データを利用することで、テキストデータとファイルデータだけでは分かりづらい位置情報（砂防設備の施工位置、砂防指定地の指定範囲など）を明確にすることができる。
【００６３】
地図データは、物理的なデータ形式により、「ベクタデータ」と「ラスタデータ」に分類され、形状や図のデータ以外に、地図に関する諸要素を属性データとして含む。
【００６４】
ベクタデータは、そのデータ形状により、「ポイント」、「ライン」、「ポリゴン」の３要素に区分することができる。ベクタデータは、実世界の地物を、ポイント・ライン・ポリゴンという３種類の形状の図形で表現するものである。
【００６５】
ラスタデータは、画像データとほぼ同意義であり、実世界の地物を、格子状（グリッド）に並んだピクセル（画素）の集合体として表現するものである。
【００６６】
本発明の実施の形態の説明では、個々の砂防情報の基本情報の地図データを指して、砂防情報基本地図データ３１という。
【００６７】
砂防情報の基本情報には、図２に示すような関連を持つ各種の情報がある。それぞれの情報について、砂防情報基本データベース２１、砂防情報基本ファイルデータ２２、および砂防情報基本地図データ３１間の関連図を参照しながら説明する。なお、全種類の情報を記憶手段に保存して利用することが望ましいが、必要となる種類の情報のみを記憶手段に保存して利用しても構わない。
【００６８】
以下の説明で参照する関連図において、砂防情報基本データベース２１に保存されるテキストデータをまとめた各テーブルには、テキストデータとして必須となる識別番号のみを記載しているが、各テーブルには、その他のテキストデータも含まれ得る。
【００６９】
（イ）砂防設備情報２１０
砂防設備情報２１０は、直轄砂防事務所管内の竣工済みの砂防設備に関する情報である。図４に示すように、砂防設備情報２１０は、砂防情報基本データベース２１として砂防設備管理テーブル２１０ａ、砂防情報基本ファイルデータ２２として砂防設備台帳ファイル２２０ａ、砂防設備完成図面ファイル２２０ｂ、砂防設備完成写真ファイル２２０ｃ、砂防設備点検台帳ファイル２２０ｄ、砂防情報基本地図データ３１として砂防設備位置地図データ３１０によって構成される。
【００７０】
砂防設備管理テーブル２１０ａは、砂防設備情報２１０の主要諸元を抽出した項目を、テキストデータとしてまとめたテーブルである。砂防設備毎のテキストデータは、個々の砂防設備に一意に割り当てられた砂防設備番号によって識別される。
【００７１】
砂防情報基本ファイルデータ２２を砂防情報基本データベース２１に関連付けるために、砂防情報基本ファイルデータ２２である砂防設備台帳ファイル２２０ａ、砂防設備完成図面ファイル２２０ｂ、砂防設備完成写真ファイル２２０ｃ、砂防設備点検台帳ファイル２２０ｄを格納するフォルダ名に砂防設備番号を設定する。
【００７２】
これによって、砂防関連情報管理システムは、ユーザによって指定された砂防設備に関する砂防情報基本ファイルデータ２２を表示するために、指定された砂防設備に割り当てられた砂防設備番号でフォルダ名を検索し、一致するフォルダを読みだす処理が容易にできる。
【００７３】
図５〜図８に、砂防設備台帳ファイル２２０ａ、砂防設備完成図面ファイル２２０ｂ、砂防設備完成写真ファイル２２０ｃ、砂防設備点検台帳ファイル２２０ｄにそれぞれ含まれるデータの例を示す。
【００７４】
さらに、砂防情報基本地図データ３１を砂防情報基本データベース２１に関連付けるために、砂防情報基本地図データ３１である砂防設備位置地図データ３１０の属性データに砂防設備番号を設定する。
【００７５】
これによって、砂防関連情報管理システムは、ユーザによって指定された砂防設備に関する砂防情報基本地図データ３１を表示するために、指定された砂防設備に割り当てられた砂防設備番号で属性データを検索し、一致する砂防設備位置地図データ３１０を読みだす処理が容易にできる。
【００７６】
図９に、砂防設備位置地図データ３１０の例を示す。
【００７７】
（ロ）砂防指定地情報２１１
砂防指定地情報２１１は、直轄砂防事務所管内で直轄砂防事業のために指定された砂防指定地に関する情報ある。図１０に示すように、砂防指定地情報２１１は、砂防情報基本データベース２１として砂防指定地関連砂防設備テーブル２１１ａ、砂防指定地管理テーブル２１１ｂ、砂防指定地関連流域テーブル２１１ｃ、砂防情報基本ファイルデータ２２として砂防指定地台帳ファイル２２１ａ、砂防指定地区域図ファイル２２１ｂ、砂防指定地地番図ファイル２２１ｃ、砂防指定地地名・地番新旧対照表ファイル２２１ｄ、砂防情報基本地図データ３１として砂防指定地範囲地図データ３１１によって構成される。
【００７８】
砂防指定地管理テーブル２１１ｂは、砂防指定地情報２１１の主要諸元を抽出した項目を、テキストデータとしてまとめたテーブルのうち、砂防指定地を管理する主テーブルである。砂防指定地毎のテキストデータは、個々の砂防指定地に一意に割り当てられた指定地番号によって識別される。
【００７９】
砂防指定地関連砂防設備テーブル２１１ａは、砂防指定地に関連した砂防設備の情報を管理するテーブルであり、砂防指定地に割り当てられた指定地番号と、砂防設備情報２１０の砂防設備管理テーブル２１０ａに設定された砂防指定地に関連した砂防設備の砂防設備番号とを組にして管理する。この砂防指定地関連砂防設備テーブル２１１ａによって、砂防設備情報２１０と砂防指定地情報２１１が関連付けられ、いずれの情報からも互いに参照し合えるようになる。
【００８０】
砂防指定地関連流域テーブル２１１ｃは、砂防指定地に関連した流域の情報を管理するテーブルであり、砂防指定地に割り当てられた指定地番号と、砂防指定地に関連した流域を識別する流域コードとを組にして管理する。
【００８１】
これらの３つのテーブルは、指定地番号によって関連付けられている。
【００８２】
砂防情報基本ファイルデータ２２を砂防情報基本データベース２１に関連付けるために、砂防情報基本ファイルデータ２２である砂防指定地台帳ファイル２２１ａ、砂防指定地区域図ファイル２２１ｂ、砂防指定地地番図ファイル２２１ｃ、砂防指定地地名・地番新旧対照表ファイル２２１ｄを格納するフォルダ名に指定地番号を設定する。
【００８３】
これによって、砂防関連情報管理システムは、ユーザによって指定された砂防指定地に関する砂防情報基本ファイルデータ２２を表示するために、指定された砂防指定地に割り当てられた指定地番号でフォルダ名を検索し、一致するフォルダを読みだす処理が容易にできる。
【００８４】
図１１〜図１４に、砂防指定地台帳ファイル２２１ａ、砂防指定地区域図ファイル２２１ｂ、砂防指定地地番図ファイル２２１ｃ、砂防指定地地名・地番新旧対照表ファイル２２１ｄにそれぞれ含まれるデータの例を示す。
【００８５】
さらに、砂防情報基本地図データ３１を砂防情報基本データベース２１に関連付けるために、砂防情報基本地図データ３１である砂防指定地範囲地図データ３１１の属性データに指定地番号を設定する。
【００８６】
これによって、砂防関連情報管理システムは、ユーザによって指定された砂防指定地に関する砂防情報基本地図データ３１を表示するために、指定された砂防指定地に割り当てられた指定地番号で属性データを検索し、一致する砂防指定地範囲地図データ３１１を読みだす処理が容易にできる。
【００８７】
図１５に、砂防指定地範囲地図データ３１１の例を示す。
【００８８】
（ハ）業務情報２１２
業務情報２１２は、直轄砂防事業で実施した委託業務に関する情報である。図１６に示すように、業務情報２１２は、砂防情報基本データベース２１として業務関連砂防設備テーブル２１２ａ、業務管理テーブル２１２ｂ、業務関連流域テーブル２１２ｃ、砂防情報基本ファイルデータ２２として業務成果品ファイル２２２、砂防情報基本地図データ３１として流域位置地図データ３１２によって構成される。
【００８９】
業務管理テーブル２１２ｂは、業務情報２１２の主要諸元を抽出した項目を、テキストデータとしてまとめたテーブルのうち、業務を管理する主テーブルである。業務毎のテキストデータは、個々の業務に一意に割り当てられた業務番号によって識別される。
【００９０】
業務関連砂防設備テーブル２１２ａは、業務に関連した砂防設備の情報を管理するテーブルであり、業務に割り当てられた業務番号と、砂防設備情報２１０の砂防設備管理テーブル２１０ａに設定された業務に関連した砂防設備の砂防設備番号とを組にして管理する。この業務関連砂防設備テーブル２１２ａによって、砂防設備情報２１０と業務情報２１２が関連付けられ、いずれの情報からも互いに参照し合えるようになる。
【００９１】
業務関連流域テーブル２１２ｃは、業務に関連した流域の情報を管理するテーブルであり、業務に割り当てられた業務番号と、業務に関連した流域を識別する流域コードとを組にして管理する。
【００９２】
これらの３つのテーブルは、業務番号によって関連付けられている。
【００９３】
砂防情報基本ファイルデータ２２を砂防情報基本データベース２１に関連付けるために、砂防情報基本ファイルデータ２２である業務成果品ファイル２２２を格納するフォルダ名に業務番号を設定する。
【００９４】
これによって、砂防関連情報管理システムは、ユーザによって指定された業務に関する砂防情報基本ファイルデータ２２を表示するために、指定された業務に割り当てられた業務番号でフォルダ名を検索し、一致するフォルダを読みだす処理が容易にできる。
【００９５】
図１７に業務成果品ファイル２２２に含まれるデータの例を示す。
【００９６】
業務情報２１２の場合は、業務そのものを示す地図データはなく、業務が行われている流域に関する地図データを表示することが求められる。そのため、業務関連流域テーブル２１２ｃで管理される業務番号と組になった業務に関連した流域を識別する流域コードを関連付けに使用する。
【００９７】
したがって、業務情報２１２の砂防情報基本地図データ３１を砂防情報基本データベース２１に関連付けるために、砂防情報基本地図データ３１である流域位置地図データ３１２の属性データに流域コードを設定する。
【００９８】
これによって、砂防関連情報管理システムは、ユーザによって指定された業務に関する砂防情報基本地図データ３１を表示するために、指定された業務に割り当てられた業務番号と組になっている流域コードで属性データを検索し、一致する流域位置地図データ３１２を読みだす処理が容易にできる。
【００９９】
（ニ）工事情報２１３
工事情報２１３は、直轄砂防事業で実施した請負工事に関する情報である。図１８に示すように、工事情報２１３は、砂防情報基本データベース２１として工事関連砂防設備テーブル２１３ａ、工事管理テーブル２１３ｂ、工事関連流域テーブル２１３ｃ、砂防情報基本ファイルデータ２２として工事台帳ファイル２２３ａ、工事完成図書ファイル２２３ｂ、砂防情報基本地図データ３１として流域位置地図データ３１２によって構成される。
【０１００】
工事管理テーブル２１３ｂは、工事情報２１３の主要諸元を抽出した項目を、テキストデータとしてまとめたテーブルのうち、工事情報２１３を管理する主テーブルである。工事毎のテキストデータは、個々の業務に一意に割り当てられた工事番号によって識別される。工事番号の形式としては、工事実施年度＋年度ごとの連番（たとえば、Ｈ１８００５（Ｈ１８年度業務＋００５））などを使用する。
【０１０１】
工事関連砂防設備テーブル２１３ａは、工事に関連した砂防設備の情報を管理するテーブルであり、工事に割り当てられた工事番号と、砂防設備情報２１０の砂防設備管理テーブル２１０ａに設定された工事に関連した砂防設備の砂防設備番号とを組にして管理する。この工事関連砂防設備テーブル２１３ａによって、砂防設備情報２１０と工事情報２１３が関連付けられ、いずれの情報からも互いに参照し合えるようになる。
【０１０２】
工事関連流域テーブル２１３ｃは、工事に関連した流域の情報を管理するテーブルであり、工事に割り当てられた工事番号と、工事に関連した流域を識別する流域コードとを組にして管理する。
【０１０３】
これらの３つのテーブルは、工事番号によって関連付けられている。
【０１０４】
砂防情報基本ファイルデータ２２を砂防情報基本データベース２１に関連付けるために、砂防情報基本ファイルデータ２２である工事台帳ファイル２２３ａと工事完成図書ファイル２２３ｂを格納するフォルダ名に工事番号を設定する。
【０１０５】
これによって、砂防関連情報管理システムは、ユーザによって指定された工事に関する砂防情報基本ファイルデータ２２を表示するために、指定された工事に割り当てられた工事番号でフォルダ名を検索し、一致するフォルダを読みだす処理が容易にできる。
【０１０６】
図１９と図２０に、工事台帳ファイル２２３ａ、工事完成図書ファイル２２３ｂにそれぞれ含まれるデータの例を示す。
【０１０７】
工事情報２１３の場合は、工事そのものを示す地図データはなく、工事が行われている流域に関する地図データを表示することが求められる。そのため、工事関連流域テーブル２１３ｃで管理される工事番号と組になった工事に関連した流域を識別する流域コードを関連付けに使用する。
【０１０８】
したがって、工事情報２１３の砂防情報基本地図データ３１を砂防情報基本データベース２１に関連付けるために、砂防情報基本地図データ３１である流域位置地図データ３１２の属性データに流域コードを設定する。
【０１０９】
これによって、砂防関連情報管理システムは、ユーザによって指定された工事に関する砂防情報基本地図データ３１を表示するために、指定された工事に割り当てられた工事番号と組になっている流域コードで属性データを検索し、一致する流域位置地図データ３１２を読みだす処理が容易にできる。
【０１１０】
（ホ）監視観測施設情報２１４
監視観測施設情報２１４は、直轄砂防事務所管内に設置された監視観測施設（監視カメラ、雨量計、水位計など）に関する情報である。図２１に示すように、監視観測施設情報２１４は、砂防情報基本データベース２１として監視観測施設管理テーブル２１４ａ、砂防情報基本ファイルデータ２２として監視観測施設台帳ファイル２２４、砂防情報基本地図データ３１として監視観測施設位置地図データ３１４によって構成される。
【０１１１】
監視観測施設管理テーブル２１４ａは、監視観測施設情報２１４の主要諸元を抽出した項目を、テキストデータとしてまとめたテーブルである。監視観測施設毎のテキストデータは、個々の監視観測施設に一意に割り当てられた監視観測施設番号によって識別される。監視観測施設番号の形式としては、監視観測種別＋”−（ハイフン）”＋監視観測種別ごとの連番（たとえば、ＵＲ−０５（雨量計＋０５））などを使用する。
【０１１２】
砂防情報基本ファイルデータ２２を砂防情報基本データベース２１に関連付けるために、砂防情報基本ファイルデータ２２である監視観測施設台帳ファイル２２４を格納するフォルダ名に監視観測施設番号を設定する。
【０１１３】
これによって、砂防関連情報管理システムは、ユーザによって指定された監視観測施設に関する砂防情報基本ファイルデータ２２を表示するために、指定された監視観測施設に割り当てられた監視観測施設番号でフォルダ名を検索し、一致するフォルダを読みだす処理が容易にできる。
【０１１４】
図２２に、監視観測施設台帳ファイル２２４に含まれるデータの例を示す。
【０１１５】
監視観測施設情報２１４の砂防情報基本地図データ３１を砂防情報基本データベース２１に関連付けるために、砂防情報基本地図データ３１である監視観測施設位置地図データ３１４の属性データに監視観測施設番号を設定する。
【０１１６】
これによって、砂防関連情報管理システムは、ユーザによって指定された監視観測施設に関する砂防情報基本地図データ３１を表示するために、指定された監視観測施設に割り当てられた監視観測施設番号で属性データを検索し、一致する監視観測施設位置地図データ３１４を読みだす処理が容易にできる。
【０１１７】
図２３に、監視観測施設位置地図データ３１４の例を示す。
【０１１８】
（ヘ）光ケーブル情報２１５
光ケーブル情報２１５は、直轄砂防事務所管内に布設された光ケーブルに関する情報である。図２４に示すように、光ケーブル情報２１５は、砂防情報基本データベース２１として光ケーブル管理テーブル２１５ａ、砂防情報基本ファイルデータ２２として光ケーブル布設平面図ファイル２２５、砂防情報基本地図データ３１として光ケーブル位置地図データ３１５によって構成される。
【０１１９】
光ケーブル管理テーブル２１５ａは、光ケーブル情報２１５の主要諸元を抽出した項目を、テキストデータとしてまとめたテーブルである。光ケーブル毎のテキストデータは、個々の光ケーブルに一意に割り当てられた光ケーブル工事番号によって識別される。光ケーブル工事番号の形式としては、工事実施年度＋年度ごとの連番（たとえば、Ｈ１８００５（Ｈ１８年度工事＋００５））などを使用する。
【０１２０】
砂防情報基本ファイルデータ２２を砂防情報基本データベース２１に関連付けるために、砂防情報基本ファイルデータ２２である光ケーブル布設平面図ファイル２２５を格納するフォルダ名に光ケーブル工事番号を設定する。
【０１２１】
これによって、砂防関連情報管理システムは、ユーザによって指定された光ケーブルに関する砂防情報基本ファイルデータ２２を表示するために、指定された光ケーブルに割り当てられた光ケーブル工事番号でフォルダ名を検索し、一致するフォルダを読みだす処理が容易にできる。
【０１２２】
図２５に、光ケーブル布設平面図ファイル２２５に含まれるデータの例を示す。
【０１２３】
光ケーブル情報２１５の砂防情報基本地図データ３１を砂防情報基本データベース２１に関連付けるために、砂防情報基本地図データ３１である光ケーブル位置地図データ３１５の属性データに光ケーブル工事番号を設定する。
【０１２４】
これによって、砂防関連情報管理システムは、ユーザによって指定された光ケーブルに関する砂防情報基本地図データ３１を表示するために、指定された光ケーブルに割り当てられた光ケーブル工事番号で属性データを検索し、一致する光ケーブル位置地図データ３１５を読みだす処理が容易にできる。
【０１２５】
図２６に、光ケーブル位置地図データ３１５の例を示す。
【０１２６】
（ト）工事用道路情報２１６
工事用道路情報２１６は、直轄砂防事業のために整備された工事用道路に関する情報である。図２７に示すように、工事用道路情報２１６は、砂防情報基本データベース２１として工事用道路管理テーブル２１６ａ、砂防情報基本ファイルデータ２２として工事用道路台帳ファイル２２６、砂防情報基本地図データ３１として工事用道路位置地図データ３１６によって構成される。
【０１２７】
工事用道路管理テーブル２１６ａは、工事用道路情報２１６の主要諸元を抽出した項目を、テキストデータとしてまとめたテーブルである。工事用道路毎のテキストデータは、個々の工事用道路に一意に割り当てられた工事用道路番号によって識別される。
【０１２８】
砂防情報基本ファイルデータ２２を砂防情報基本データベース２１に関連付けるために、砂防情報基本ファイルデータ２２である工事用道路台帳ファイル２２６を格納するフォルダ名に工事用道路番号を設定する。
【０１２９】
これによって、砂防関連情報管理システムは、ユーザによって指定された工事用道路に関する砂防情報基本ファイルデータ２２を表示するために、指定された工事用道路に割り当てられた工事用道路番号でフォルダ名を検索し、一致するフォルダを読みだす処理が容易にできる。
【０１３０】
図２８に，工事用道路台帳ファイル２２６に含まれるデータの例を示す。
【０１３１】
工事用道路情報２１６の砂防情報基本地図データ３１を砂防情報基本データベース２１に関連付けるために、砂防情報基本地図データ３１である工事用道路位置地図データ３１６の属性データに工事用道路番号を設定する。
【０１３２】
これによって、砂防関連情報管理システムは、ユーザによって指定された工事用道路に関する砂防情報基本地図データ３１を表示するために、指定された工事用道路に割り当てられた工事用道路番号で属性データを検索し、一致する工事用道路位置地図データ３１６を読みだす処理が容易にできる。
【０１３３】
図２９に，工事用道路位置地図データ３１６の例を示す。
【０１３４】
（チ）災害記録情報２１７
災害記録情報２１７は、直轄砂防事務所管内で発生した土砂災害の記録と被害状況に関する情報である。図３０に示すように、工事用道路情報２１６は、砂防情報基本データベース２１として災害記録関連砂防設備テーブル２１７ａ、災害記録管理テーブル２１７ｂ、災害記録関連監視観測施設テーブル２１７ｃ、砂防情報基本ファイルデータ２２として災害記録ファイル２２７、砂防情報基本地図データ３１として災害発生位置地図データ３１７によって構成される。
【０１３５】
災害記録管理テーブル２１７ｂは、災害記録情報２１７の主要諸元を抽出した項目を、テキストデータとしてまとめたテーブルである。災害記録毎のテキストデータは、個々の災害記録に一意に割り当てられた災害記録番号によって識別される。
【０１３６】
災害記録関連砂防設備テーブル２１７ａは、災害記録に関連した砂防設備の情報を管理するテーブルであり、災害記録に割り当てられた災害記録番号と、砂防設備情報２１０の砂防設備管理テーブル２１０ａに設定された工事に関連した砂防設備の砂防設備番号とを組にして管理する。この災害記録関連砂防設備テーブル２１７ａによって、砂防設備情報２１０と災害記録情報２１７が関連付けられ、いずれの情報からも互いに参照し合えるようになる。
【０１３７】
災害記録関連監視観測施設テーブル２１７ｃは、災害記録に関連した監視観測施設の情報を管理するテーブルであり、災害記録に割り当てられた災害記録番号と、監視観測施設情報２１４の監視観測施設管理テーブル２１４ａに設定された災害記録に関連した監視観測施設に割り当てられた監視観測施設番号とを組にして管理する。この災害記録関連監視観測施設テーブル２１７ｃによって、監視観測施設情報２１４と災害記録情報２１７が関連付けられ、いずれの情報からも互いに参照し合えるようになる。
【０１３８】
これらの３つのテーブルは、災害記録番号によって関連付けられている。
【０１３９】
砂防情報基本ファイルデータ２２を砂防情報基本データベース２１に関連付けるために、砂防情報基本ファイルデータ２２である災害記録ファイル２２７を格納するフォルダ名に災害記録番号を設定する。
【０１４０】
これによって、砂防関連情報管理システムは、ユーザによって指定された災害記録に関する砂防情報基本ファイルデータ２２を表示するために、指定された災害記録に割り当てられた災害記録番号でフォルダ名を検索し、一致するフォルダを読みだす処理が容易にできる。
【０１４１】
災害記録情報２１７の砂防情報基本地図データ３１を砂防情報基本データベース２１に関連付けるために、砂防情報基本地図データ３１である災害発生位置地図データ３１７の属性データに災害記録番号を設定する。
【０１４２】
これによって、砂防関連情報管理システムは、ユーザによって指定された災害記録に関する砂防情報基本地図データ３１を表示するために、指定された災害記録に割り当てられた災害記録番号で属性データを検索し、一致する災害発生位置地図データ３１７を読みだす処理が容易にできる。
【０１４３】
図３１に、災害発生位置地図データ３１７の例を示す。
【０１４４】
（リ）ボーリング調査結果情報２１８
ボーリング調査結果情報２１８は、直轄砂防事務所管内で実施したボーリング調査結果に関する情報である。図３２に示すように、ボーリング調査結果情報２１８は、砂防情報基本データベース２１としてボーリング調査結果関連砂防設備テーブル２１８ａ、ボーリング調査結果管理テーブル２１８ｂ、砂防情報基本ファイルデータ２２としてボーリング交換用ファイル２２８ａ、柱状図ファイル２２８ｂ、コア写真ファイル２２８ｃ、砂防情報基本地図データ３１としてボーリング位置地図データ３１８によって構成される。
【０１４５】
ボーリング調査結果管理テーブル２１８ｂは、ボーリング調査結果情報２１８の主要諸元を抽出した項目を、テキストデータとしてまとめたテーブルである。ボーリング調査結果毎のテキストデータは、個々のボーリング調査結果に一意に割り当てられたボーリング番号によって識別される。
【０１４６】
ボーリング調査結果関連砂防設備テーブル２１８ａは、ボーリング調査結果に関連した砂防設備の情報を管理するテーブルであり、ボーリング調査結果に割り当てられたボーリング番号と、砂防設備情報２１０の砂防設備管理テーブル２１０ａに設定されたボーリングに関連した砂防設備の砂防設備番号とを組にして管理する。このボーリング調査結果関連砂防設備テーブル２１８ａによって、砂防設備情報２１０とボーリング調査結果情報２１８が関連付けられ、いずれの情報からも互いに参照し合えるようになる。
【０１４７】
砂防情報基本ファイルデータ２２を砂防情報基本データベース２１に関連付けるために、砂防情報基本ファイルデータ２２であるボーリング交換用ファイル２２８ａ、柱状図ファイル２２８ｂ、コア写真ファイル２２８ｃを格納するフォルダ名にボーリング番号を設定する。
【０１４８】
これによって、砂防関連情報管理システムは、ユーザによって指定されたボーリング調査結果に関する砂防情報基本ファイルデータ２２を表示するために、指定されたボーリング調査結果に割り当てられたボーリング番号でフォルダ名を検索し、一致するフォルダを読みだす処理が容易にできる。
【０１４９】
図３３〜図３５に、ボーリング交換用ファイル２２８ａ、柱状図ファイル２２８ｂ、コア写真ファイル２２８ｃのそれぞれの例を示す。
【０１５０】
ボーリング調査結果情報２１８の砂防情報基本地図データ３１を砂防情報基本データベース２１に関連付けるために、砂防情報基本地図データ３１であるボーリング位置地図データ３１８の属性データにボーリング番号を設定する。
【０１５１】
これによって、砂防関連情報管理システムは、ユーザによって指定されたボーリング調査結果に関する砂防情報基本地図データ３１を表示するために、指定されたボーリング調査結果に割り当てられたボーリング番号で属性データを検索し、一致するボーリング位置地図データ３１８を読みだす処理が容易にできる。
【０１５２】
図３６に、ボーリング位置地図データ３１８の例を示す。
【０１５３】
（ヌ）事業箇所情報２１９
事業箇所情報２１９は、計画中、事業着手、工事着手、完成の直轄砂防事業を実施している箇所に関する情報である。図３７に示すように、事業箇所情報２１９は、砂防情報基本データベース２１として事業箇所関連砂防設備テーブル２１９ａ、事業箇所管理テーブル２１９ｂ、砂防情報基本ファイルデータ２２として事業箇所関連ファイル２２９、砂防情報基本地図データ３１として事業箇所地図データ３１９ａ、事業箇所位置地図データ３１９ｂによって構成される。
【０１５４】
事業箇所管理テーブル２１９ｂは、事業箇所情報２１９の主要諸元を抽出した項目を、テキストデータとしてまとめたテーブルである。事業箇所毎のテキストデータは、個々の事業箇所に一意に割り当てられた事業箇所番号によって識別される。
【０１５５】
事業箇所関連砂防設備テーブル２１９ａは、事業箇所に関連した砂防設備の情報を管理するテーブルであり、事業箇所に割り当てられた事業箇所番号と、砂防設備情報２１０の砂防設備管理テーブル２１０ａに設定された事業箇所に関連した砂防設備の砂防設備番号とを組にして管理する。この事業箇所関連砂防設備テーブル２１９ａによって、砂防設備情報２１０と事業箇所情報２１９が関連付けられ、いずれの情報からも互いに参照し合えるようになる。
【０１５６】
砂防情報基本ファイルデータ２２を砂防情報基本データベース２１に関連付けるために、砂防情報基本ファイルデータ２２である事業箇所関連ファイル２２９を格納するフォルダ名に事業箇所番号を設定する。
【０１５７】
これによって、砂防関連情報管理システムは、ユーザによって指定された事業箇所に関する砂防情報基本ファイルデータ２２を表示するために、指定された事業箇所に割り当てられた事業箇所番号でフォルダ名を検索し、一致するフォルダを読みだす処理が容易にできる。
【０１５８】
事業箇所情報２１９の砂防情報基本地図データ３１を砂防情報基本データベース２１に関連付けるために、砂防情報基本地図データ３１である事業箇所地図データ３１９ａと事業箇所位置地図データ３１９ｂの属性データに事業箇所番号を設定する。
【０１５９】
これによって、砂防関連情報管理システムは、ユーザによって指定された事業箇所に関する砂防情報基本地図データ３１を表示するために、指定された事業箇所に割り当てられた事業箇所番号で属性データを検索し、一致する事業箇所地図データ３１９ａと事業箇所位置地図データ３１９ｂを読みだす処理が容易にできる。
【０１６０】
図３８と図３９に、事業箇所地図データ３１９ａと事業箇所位置地図データ３１９ｂのそれぞれの例を示す。
【０１６１】
砂防情報の各種基本情報は、以上に説明した構成をとることで、図２に示すように、互いに関連付けられる。これにより、本発明の砂防関連情報管理システムは、ユーザが表示したい関連情報の項目を端末１の画面で選択するだけで、すばやく必要な情報を表示させることが可能である。
【０１６２】
また、図２には、基本情報の監視観測施設情報２１４と監視観測情報６１０、基本情報の事業箇所情報２１９と事業進捗情報５１０がそれぞれ監視観測施設番号と事業箇所番号で関連付けられることも同時に示してある。
【０１６３】
なお、各情報を識別するために一意に割り当てられ、砂防情報基本データベース２１、砂防情報基本ファイルデータ２２、および砂防情報基本地図データ３１間の関連付けを行うために使用される砂防設備番号、指定地番号、業務番号、流域コード、工事番号、監視観測施設番号、光ケーブル工事番号、工事用道路番号、災害記録番号、ボーリング番号、事業箇所番号などを総称して識別番号という。
【０１６４】
（３）三次元地図データ４１
三次元地図データ４１は、砂防情報基本地図データ３１に関連した地図データであり、三次元解析部４０によって表示される。
【０１６５】
図４０に示すように、三次元地図データ４１は、砂防情報基本データベース２１と砂防情報基本地図データ３１を関連付けるために使用した各種の識別番号を属性データに設定して、砂防情報基本地図データ３１に関連付けられる。
【０１６６】
（４）事業進捗情報５１０
事業進捗情報５１０は、計画もしくは現在進行している各種事業箇所の詳細な進捗状況を示すマトリックス表、ワークフロー図、タイムテーブルなどの情報である。事業進捗情報５１０は、砂防情報の基本情報の中の事業箇所情報２１９に関連付けられ、事業進捗データベース５１と事業進捗ファイルデータ５２で構成される。
【０１６７】
図４１に示すように、事業進捗情報５１０は、事業進捗データベース５１として事業進捗関連事業箇所テーブル５１０ａ、事業進捗管理テーブル５１０ｂ、事業進捗ファイルデータ５２として事業進捗関連ファイル５２０によって構成される。
【０１６８】
事業進捗管理テーブル５１０ｂは、事業進捗情報５１０の主要諸元を抽出した項目を、テキストデータとしてまとめたテーブルである。事業進捗毎のテキストデータは、個々の事業進捗に一意に割り当てられた事業進捗番号によって識別される。
【０１６９】
事業進捗関連事業箇所テーブル５１０ａは、事業進捗に関連した事業箇所の情報を管理するテーブルであり、事業進捗に割り当てられた事業進捗番号と、事業箇所情報２１９の事業箇所管理テーブル２１９ｂに設定された事業進捗に関連した事業箇所の事業箇所番号とを組にして管理する。この事業進捗関連事業箇所テーブル５１０ａによって、事業箇所情報２１９と事業進捗情報５１０が関連付けられ、いずれの情報からも互いに参照し合えるようになる。
【０１７０】
事業進捗ファイルデータ５２を事業進捗データベース５１に関連付けるために、事業進捗ファイルデータ５２である事業進捗関連ファイル５２０を格納するフォルダ名に事業進捗番号を設定する。
【０１７１】
これによって、砂防関連情報管理システムは、ユーザによって指定された事業進捗に関する事業進捗ファイルデータ５２を表示するために、指定された事業進捗に割り当てられた事業進捗番号でフォルダ名を検索し、一致するフォルダを読みだす処理が容易にできる。
【０１７２】
図４２に，事業進捗関連ファイル５２０の例を示す。
【０１７３】
（５）監視観測情報６１０
監視観測情報６１０は、監視観測施設として管理されている雨量観測所で観測された連続雨量、時間雨量、土壌雨量指数などの雨量データである。監視観測情報６１０は、砂防情報の基本情報の中の監視観測施設情報２１４に関連付けられた、監視観測情報データベース６１と監視観測情報ファイルデータ６２で構成される。
【０１７４】
図４３に示すように、監視観測情報６１０は、監視観測情報データベース６１として監視観測情報関連監視観測施設テーブル６１０ａ、監視観測情報管理テーブル６１０ｂ、監視観測情報ファイルデータ６２として監視観測情報関連ファイル６２０によって構成される。
【０１７５】
監視観測情報管理テーブル６１０ｂは、監視観測情報６１０の主要諸元を抽出した項目を、テキストデータとしてまとめたテーブルである。監視観測情報６１０毎のテキストデータは、個々の監視観測情報６１０に一意に割り当てられた監視観測情報番号によって識別される。
【０１７６】
監視観測情報関連監視観測施設テーブル６１０ａは、監視観測情報６１０に関連した監視観測施設の情報を管理するテーブルであり、監視観測情報６１０に割り当てられた監視観測情報番号と、監視観測施設情報２１４の監視観測施設管理テーブル２１４ａに設定された監視観測情報６１０に関連した監視観測施設の監視観測施設番号とを組にして管理する。この監視観測情報関連監視観測施設テーブル６１０ａによって、監視観測施設情報２１４と監視観測情報６１０が関連付けられ、いずれの情報からも互いに参照し合えるようになる。
【０１７７】
監視観測情報ファイルデータ６２を監視観測情報データベース６１に関連付けるために、監視観測情報ファイルデータ６２である監視観測情報関連ファイル６２０を格納するフォルダ名に監視観測情報番号を設定する。
【０１７８】
これによって、砂防関連情報管理システムは、ユーザによって指定された監視観測情報６１０に関する監視観測情報ファイルデータ６２を表示するために、指定された監視観測情報６１０に割り当てられた監視観測情報番号でフォルダ名を検索し、一致するフォルダを読みだす処理が容易にできる。
【０１７９】
図４４と図４５に、監視観測情報関連ファイル６２０の例を示す。
【０１８０】
（システム制御部１０、台帳管理部２０、および砂防基盤図管理部３０の処理）
砂防関連情報管理システムを構成するシステム制御部１０、台帳管理部２０、および砂防基盤図管理部３０の各々の処理について、図４６から図６４を参照しながら説明する。
【０１８１】
ユーザは、端末１でウェブブラウザを起動し、通信ネットワーク２上の砂防関連情報管理システムが実装されている場所を指定して、砂防関連情報管理システムを起動する（ｄ１）。
【０１８２】
砂防関連情報管理システムのシステム制御部１０は、端末１からの起動を受けて、図４８に示すように、砂防関連情報管理システムのトップページを端末１に表示させる（Ｓ１０）。
【０１８３】
ユーザは、図４８のトップページのログイン欄ｃ１でユーザＩＤとパスワードを入力し（ｄ２）、情報へのアクセスの許可を要求する。
【０１８４】
システム制御部１０は、入力されたユーザＩＤとパスワードによってシステム制御データベース１１を検索しアクセス認証を行い（Ｓ１１）、登録されている場合は、ユーザのアクセスを許可する。図示していないが、登録されていない場合は、拒否メッセージなどを端末１に表示する。
【０１８５】
アクセスが許可された後、ユーザは、図４８のトップページに表示された項目から、検索したい情報を選択する（ｄ３）。たとえば、トップページ内の台帳管理システム欄ｃ２に一覧表示された各種の基本情報や、トップページ内の右側に表示された地図表示ｃ３をクリックする。
【０１８６】
システム制御部１０は、選択された情報の種類を判定し、該当する情報を管理する処理部、すなわち台帳管理部２０か砂防基盤図管理部３０かを起動する（Ｓ１２）。
【０１８７】
図４６には、システム制御部１０によって台帳管理部２０が起動された場合の処理の流れを示しており、台帳管理部２０は、端末１に図４９に示すような情報検索ページを表示させる（Ｓ２０）。
【０１８８】
ユーザは、台帳管理部２０によって端末１に表示された情報検索ページで、必要な検索条件を入力する（ｄ４）。
【０１８９】
台帳管理部２０は、入力された検索条件によって砂防情報基本データベース２１内の情報を検索し（Ｓ２１）、該当する情報の一覧を作成し、検索結果として端末１に表示させる（Ｓ２２）。図５０に検索結果の表示例を示す。
【０１９０】
ユーザは、台帳管理部２０によって端末１に表示された検索結果の一覧から、所望の個別情報を指定する（ｄ５）。
【０１９１】
台帳管理部２０は、指定された個別情報を砂防情報基本データベース２１から読みだし、端末１に表示させる（Ｓ２３）。図５１に、個別情報として検索結果の一覧中の１か所の砂防設備を選択した場合に、端末１に表示される個別情報の例を示す。
【０１９２】
図５１に示すように、個別情報が表示されたページには、表示された砂防情報基本データベース２１の個別情報に関連付けられている砂防情報基本ファイルデータ２２と砂防情報基本地図データ３１を表示するための砂防情報基本ファイルデータ表示ボタン（「台帳・図面・写真」ボタンｂ１）と砂防情報基本地図データ表示ボタン（「地図表示」ボタンｂ２）が設置されている。
【０１９３】
ユーザは、端末１に表示された個別情報について、さらに表示したい情報を指定する（ｄ６）。
【０１９４】
台帳管理部２０は、指定された情報が、ファイルデータか地図データのいずれであるかデータの種別を判定する（Ｓ２４）。
【０１９５】
指定された情報がファイルデータの場合、台帳管理部２０は、個別情報に割り当てられた識別番号がフォルダ名になっているフォルダを検索することで、砂防情報基本データベース２１に関連付けられた砂防情報基本ファイルデータ２２を読みだし、該当する砂防情報基本ファイルデータ２２の一覧を端末１に表示させる（Ｓ２５）。
【０１９６】
ユーザが砂防情報基本ファイルデータ２２の一覧から所望のファイルを選択すると、たとえば、図５〜図８に例示したような砂防情報基本ファイルデータ２２が画面に表示される。
【０１９７】
指定された情報が地図データの場合、台帳管理部２０は、砂防基盤図管理部３０を起動する。
【０１９８】
起動された砂防基盤図管理部３０は、個別情報に割り当てられた識別番号をキーとして、砂防情報基本データベース２１に関連付けられた砂防情報基本地図データ３１を読みだし、図５２に示すような、該当する砂防情報基本地図データ３１を端末１に表示させる。
【０１９９】
以上が、本発明の砂防関連情報管理システムの基本となる処理の流れであり、次に、砂防関連情報管理システムが備えるその他の処理を説明する。
【０２００】
図５１に示すように、個別情報が表示されたページには、関連付けられている砂防情報基本データベース２１の他の基本情報を表示するための関連情報表示ボタン（たとえば「砂防指定地」ボタンｂ３、「業務」ボタンｂ４、「工事」ボタンｂ５、「災害記録」ボタンｂ６）が設置されている。
【０２０１】
たとえば、砂防設備情報２１０を表示している図５１で、砂防情報基本データベース２１の他の基本情報として砂防指定地情報２１１を表示するため「砂防指定地」ボタンｂ３が選択された場合を例に、台帳管理部２０の処理について説明する。
【０２０２】
台帳管理部２０は、まず、図５１で表示されている砂防設備情報２１０の個別情報に割り当てられた識別番号（砂防設備番号）をキーとして、砂防指定地情報２１１の砂防指定地関連砂防設備テーブル２１１ａを検索し、関連付けられている指定地番号を読みだす。
【０２０３】
次に、読みだした指定地番号をキーとして関連付けられている砂防指定地情報２１１の他のテーブル、すなわち砂防指定地管理テーブル２１１ｂと砂防指定地関連流域テーブル２１１ｃを検索し、砂防指定地管理テーブル２１１ｂと砂防指定地関連流域テーブル２１１ｃに保存されているテキストデータを読みだす。
【０２０４】
もし、複数の指定地番号が関連付けられている場合は、図５３に示すように、一覧として端末１に表示しユーザに選択させ、図５４に示すような、ユーザが選択した砂防指定地情報２１１の詳細を端末１に表示させる。
【０２０５】
図５４に示した個別情報が表示されたページには、図５１と同様に、表示された砂防情報基本データベース２１の個別情報に関連付けられている砂防情報基本ファイルデータ２２と砂防情報基本地図データ３１を表示するための「台帳・図面・写真」ボタンｂ１と「地図表示」ボタンｂ２が設置されている。
【０２０６】
したがって、図５１の場合と同様に、図５４に示した個別情報が表示されたページから、関連付けられている砂防情報基本ファイルデータ２２と砂防情報基本地図データ３１を表示する処理に進むことが可能である。
【０２０７】
このように、本発明の砂防関連情報管理システムでは、端末１に表示されたある砂防情報基本データベース２１の個別情報のページから、砂防情報基本データベース２１内で関連付けられている各種の個別情報を、次々と選択して表示することができ、さらに選択した砂防情報基本データベース２１の個別情報に関連付けられている砂防情報基本ファイルデータ２２と砂防情報基本地図データ３１も表示することができる。
【０２０８】
つづいて、図４８に示したトップページで地図表示ｃ１を選択するか、図５１に示すように、個別情報が表示されたページで「地図表示」ボタンｂ２を選択することで起動される砂防基盤図管理部３０の処理について説明する。
【０２０９】
起動された砂防基盤図管理部３０によって端末１に表示されるページは、図５５に示すように、地図操作メニューｃ４、地図操作ツールバーｃ５、および地図表示部ｃ６から構成される。
【０２１０】
地図操作メニューｃ４には、砂防基盤図管理部３０で地図データの基本操作を行うためのボタンで、拡大・縮小、移動、計測などのボタンが表示される。
【０２１１】
地図操作ツールバーｃ５は、砂防基盤図管理部３０で地図データの応用操作を行うためのツールバーで、地図レイヤの一覧表示、流域検索、メモの表示・登録など、地図操作メニューｃ４の範囲では収まらない操作が表示される。
【０２１２】
地図操作ツールバーｃ５は、図５６の（ａ）に示すように固定枠に並んだツールバーの「▽」ボタンをクリックすることで、図５６の（ｂ）に示すようにそのツールバーの詳細が表示される。また、図５６の（ｃ）に示すように、「＞＞」ボタンをクリックすることで、固定枠から外れ、ツールバーを砂防基盤図管理部３０が表示する画面内に自由に配置でき、図５６の（ｄ）に示すようにその場でツールバーの「▽」ボタンをクリックすることで、ツールバーの詳細が表示される。固定枠から外れたツールバーは、「＜＜」ボタンをクリックすることで、再度固定枠に戻すことができる。
【０２１３】
地図表示部ｃ６には、指定された直轄砂防管内の砂防情報基本地図データ３１が表示される。
【０２１４】
砂防基盤図管理部３０の機能には、流域検索や住所検索などの砂防情報基本地図データ３１内の所望のデータを検索する機能、地図の全体表示、拡大・縮小表示、および属性表示などのデータ表示機能、また地図表示部に表示された地図上の座標値、距離、および面積の計測機能などがある。
【０２１５】
流域検索を行う場合は、図５７に示すように、「流域検索」ツールバーｃ５１の「▽」ボタンをクリックし、直轄砂防事務所管内の小流域一覧を表示する。ここで、小流域は大流域ごとに分類されている。
【０２１６】
表示された小流域一覧から表示したい小流域をクリックすると、クリックした小流域の範囲の地図が地図表示部ｃ６に拡大表示される。
【０２１７】
住所検索を行う場合は、図５８の（ａ）に示すように、「住所検索」ツールバーｃ５２の「▽」ボタンをクリックすると、任意の住所を入力するテキストボックスが表示されるので、検索する住所を入力する。図５８の（ｂ）は、表示されるテキストボックスの拡大図である。検索できる住所の種類は、地名、渓流名、砂防設備名、公共施設名で、漢字入力とひらがな入力のどちらでも構わない。ここでは例として、“尾白”と入力し、「検索」ボタンをクリックする。
【０２１８】
砂防基盤図管理部３０は、“尾白”という名称が付く住所の砂防情報基本地図データ３１を検索し、一覧表示する。検索された一覧の中から任意の住所をクリックすると、図５８の（ａ）の地図表示部ｃ６に、選択した住所の場所の地図が１／５，０００の縮尺で表示される。
【０２１９】
計測機能を行う場合は、図５９の（ａ）と図５９の（ｂ）に示すように、地図操作メニューｃ４の中の、「計測」ボタンｃ４１をクリックすると、「座標計測」ボタンｃ４２、「距離計測」ボタンｃ４３、「面積計測」ボタンｃ４４が設置された「計測ツール」画面ｃ４１１が表示される。
【０２２０】
座標計測の場合は、「計測ツール」画面ｃ４１１の中の「座標計測」ボタンｃ４２を選択し、地図表示部ｃ６に表示された地図上の任意の地点をクリックすると、クリックした地点の座標値（公共座標第１〜１９系：ＪＧＤ２０００）が表示される。図５９の（ｂ）に、地図表示部ｃ６に表示された「計測ツール」画面ｃ４１１の座標計測結果を拡大して示す。
【０２２１】
距離計測の場合は、図６０の（ａ）に示すように、「距離計測」ボタンｃ４３を選択し、地図表示部ｃ６に表示された地図上の複数の地点をクリックしながらラインを描画すると、描画した複数地点間の長さが表示される。図６０の（ｂ）に、地図表示部ｃ６に表示された「計測ツール」画面ｃ４１１の距離計測結果を拡大して示す。
【０２２２】
面積計測の場合は、図６１の（ａ）に示すように、「面積計測」ボタンｃ４４を選択し、地図表示部ｃ６に表示された地図上の複数の地点をクリックしながら区域のポリゴンを描画すると、描画した区域の面積が表示される。図６１の（ｂ）に、地図表示部ｃ６に表示された「計測ツール」画面ｃ４１１の面積計測結果を拡大して示す。
【０２２３】
次に、砂防基盤図管理部３０から台帳管理部２０を起動し、砂防情報基本データベース２１の情報を表示する処理について、砂防設備情報２１０を例にとって説明する。
【０２２４】
図６２に示すように、地図表示部ｃ６に砂防設備の砂防情報基本地図データ３１を表示した状態で、地図操作メニューｃ４の中の「地図から検索」コンボボックスｃ４５から、“砂防設備”を選択する。ここで“砂防設備”を選択することにより、地図情報として砂防設備が検索対象としてセットされる。
【０２２５】
次に、図６３に示すように、地図表示部ｃ６に表示された地図上で砂防設備を示す図形が含まれる範囲を矩形で選択する。
【０２２６】
砂防基盤図管理部３０は、矩形で選択した範囲に含まれる砂防設備を強調表示すると同時に、台帳管理部２０を起動し、矩形で選択した範囲に含まれる砂防設備に割り当てられた砂防設備番号を渡し、図６４に示すように、砂防設備の一覧を端末１に表示させる。
【０２２７】
ユーザは、本画面で各砂防設備名をクリックすることで、台帳管理部２０により該当する砂防設備の、砂防情報基本データベース２１内の個別情報を画面に表示させることが可能となる
このように、本発明の砂防関連情報管理システムは、砂防情報基本データベース２１と、砂防情報基本地図データ３１を識別番号で関連付けておくことによって、台帳管理部２０と砂防基盤図管理部３０間で、簡単な操作で互いのデータの参照を可能としている。
【０２２８】
（三次元解析部４０の処理）
砂防関連情報管理システムは、さらに、砂防情報基本地図データ３１に識別番号によって関連付けられた三次元地形モデルデータ（ＴＩＮ）などを含む三次元地図データ４１を記憶手段に保存し、表示する三次元解析部４０を含む。
【０２２９】
三次元解析部４０は、図６５に示すように、砂防基盤図管理部３０によって表示された画面の「三次元解析」ツールバーｃ５３の「▽」ボタンをクリックすることで表示される「断面図の測線描画」ボタンｃ５３１か「三次元表示」ボタンｃ５３２を選択することで起動される。
【０２３０】
断面図の測線描画を行う場合は、「断面図の測線描画」ボタンｃ５３１を選択し、画面の地図表示部ｃ６に表示された地図上でクリックして断面表示する位置（測線）を描画し、最後にダブルクリックし描画を確定する。
【０２３１】
測線描画が確定されると、三次元解析部４０は、図６６に示すように、関連付けられている三次元地図データ４１を基に、指定された位置の断面図を画面に表示させる。
【０２３２】
一方、三次元表示を行う場合は、鳥瞰図表示したい地図と範囲を画面の地図表示部ｃ６に表示させた状態で、「三次元表示」ボタンｃ５３２を選択する。
【０２３３】
「三次元表示」ボタンｃ５３２が選択されると、三次元解析部４０は、図６７に示すように、地図表示部ｃ６に表示されている地図データの持つ識別番号によって関連付けられている三次元地図データ４１の鳥瞰図を画面に表示させる。
【０２３４】
（事業進捗管理部５０の処理）
砂防関連情報管理システムは、さらに、砂防情報基本データベース２１の事業箇所情報２１９に事業箇所番号によって関連付けられた事業進捗データベース５１と、事業進捗番号によって事業進捗データベース５１に関連付けられた事業進捗ファイルデータ５２を記憶手段に保存し、表示する事業進捗管理部５０を含む。
【０２３５】
まず、ユーザは、システム制御部１０によって表示されたトップページの台帳管理システム欄ｃ２に一覧表示された項目から「事業箇所」を選択し、台帳管理部２０を起動し事業箇所情報２１９を表示させる。
【０２３６】
次に、表示された事業箇所情報２１９から所望の事業箇所の進捗情報表示を選択されると、台帳管理部２０から事業進捗管理部５０が起動される。
【０２３７】
起動された事業進捗管理部５０は、選択された事業箇所の事業箇所番号をキーに、事業進捗データベース５１の事業進捗関連事業箇所テーブル５１０ａを検索し、事業箇所番号と関連付けられている事業進捗番号を読みだす。
【０２３８】
次に、事業進捗管理部５０は、読みだした事業進捗番号をキーとして関連付けられている事業進捗管理テーブル５１０ｂを検索し、事業進捗管理テーブル５１０ｂに保存されているテキストデータを読みだし、端末１に表示させる。
【０２３９】
また、事業進捗管理部５０は、ユーザからの要求によって、事業進捗番号をキーとして関連付けられている事業進捗ファイルデータ５２を検索し、該当する事業進捗関連ファイル５２０を読みだし、図４２に例示したように端末１に表示させる。
【０２４０】
（監視観測情報解析部６０の処理）
砂防関連情報管理システムは、さらに、砂防情報基本データベース２１の監視観測施設情報２１４に監視観測施設番号によって関連付けられた監視観測情報データベース６１と、監視観測情報番号によって監視観測情報データベース６１に関連付けられた監視観測情報ファイルデータ６２を記憶手段に保存し、表示する監視観測情報解析部６０を含む。
【０２４１】
まず、ユーザは、システム制御部１０によって表示されたトップページの台帳管理システム欄ｃ２に一覧表示された項目から「監視観測施設」を選択し、台帳管理部２０を起動し監視観測施設情報２１４を表示させる。
【０２４２】
次に、表示された監視観測施設情報２１４から、所望の監視観測施設の監視観測情報表示を選択されると、台帳管理部２０から監視観測情報解析部６０が起動される。
【０２４３】
起動された監視観測情報解析部６０は、選択された監視観測施設の監視観測施設をキーに、監視観測情報データベース６１の監視観測情報関連監視観測施設テーブル６１０ａを検索し、監視観測施設番号と関連付けられている監視観測情報番号を読みだす。
【０２４４】
次に、監視観測情報解析部６０は、読みだした監視観測情報番号をキーとして関連付けられている監視観測情報管理テーブル６１０ｂを検索し、監視観測情報管理テーブル６１０ｂに保存されているテキストデータを読みだし、端末１に表示させる。
【０２４５】
また、監視観測情報解析部６０は、ユーザからの要求によって、監視観測情報番号をキーとして関連付けられている監視観測情報ファイルデータ６２を検索し、該当する監視観測情報関連ファイル６２０を読みだし、図４４と図４５に例示したように端末１に表示させる。
【その他の実施の形態】
【０２４６】
本発明の砂防関連情報管理システムにおける情報表示処理について上述したが、情報入力処理について以下に説明する。
【０２４７】
情報は大別すると、システム管理者が入力、変更、または削除することによって更新を適宜行うべき情報と、各ユーザがある程度の自由度を有して常時更新できる情報とに分けられる。
【０２４８】
本発明の砂防関連情報管理システムでは、前者には、システム制御データベース１１、砂防情報基本データベース２１、砂防情報基本地図データ３１、三次元地図データ４１、事業進捗データベース５１、および監視観測情報データベース６１が相当する。
【０２４９】
また、後者には、砂防情報基本ファイルデータ２２、事業進捗ファイルデータ５２、および監視観測情報ファイルデータ６２が相当する。
【０２５０】
ただし、この分類は一例であって、運用の仕方によっては分類を変更しても構わない。
【０２５１】
システム管理者は、コンピュータの入力手段により、砂防情報を記憶手段に入力するわけであるが、識別番号をキーとして互いに関連付けることが必要であるため、本発明の砂防関連情報管理システムは、次に説明する処理を行っている。
【０２５２】
システム管理者が、ＲＤＢＭＳを利用して、砂防情報のレコードを砂防情報基本データベース２１に追加する際、そのレコードに識別番号（例えば一意に割り当てられた砂防設備番号）が自動的に割り当てられる。
【０２５３】
さらに、砂防情報基本データベース２１と砂防情報基本ファイルデータ２２を正確に関連付けるために、追加した砂防情報のレコードに割り当てられた識別番号をフォルダ名として、新たなフォルダを自動生成する。
【０２５４】
同様な処理は、事業進捗データベース５１と事業進捗ファイルデータ５２間、そして監視観測情報データベース６１と監視観測情報ファイルデータ６２間にも適用される。
【０２５５】
これらの処理は、台帳管理部２０、事業進捗管理部５０、および監視観測情報解析部６０にそれぞれ具備させてもよいし、入力処理部として独立させて砂防関連情報管理システムに具備させてもよい。
【０２５６】
ユーザは、目的とする砂防情報を端末１に表示させた画面から、関連付けられたフォルダを開き、ユーザの作成した資料や画像など、その砂防情報に関連した情報をそのフォルダに保存できる。
【０２５７】
ここで、保存しようとしている情報が、現在閲覧している砂防情報に本当に関連したものであるかを、再度ユーザに確認させるためのメッセージをユーザの端末１に表示することで、情報の整合性を確保する処理を設けてもよい。
【０２５８】
従来の情報管理システムでは、情報の関連付けを崩さないため、ユーザによって作成された情報も、逐一システム管理者に入力を依頼して、記憶手段に入力しなければならなかった。
【０２５９】
しかし、本発明の砂防関連情報管理システムでは、このように、関連付けを確保しながら、ユーザが自由に更新できる情報も管理できるようになり、他のユーザとの迅速な情報の共有を図ることができるようになった。
【０２６０】
以上、本発明の砂防関連情報管理システムは、システム制御部１０、台帳管理部２０、および砂防基盤図管理部３０を基本構成として、砂防情報基本データベース２１、砂防情報基本ファイルデータ２２および砂防情報基本地図データ３１を識別番号をキーとして互いに関連付けることで、簡単な操作で互いのデータの参照を可能とし、砂防情報の基本情報を効率よく管理することができる。
【０２６１】
さらに、本発明の砂防関連情報管理システムは、三次元解析部４０、事業進捗管理部５０、および監視観測情報解析部６０を基本構成に付加し、三次元地図データ４１を砂防情報基本地図データ３１に関連付け、事業進捗データベース５１と事業進捗ファイルデータ５２を事業箇所情報２１９に関連付け、監視観測情報データベース６１と監視観測情報ファイルデータ６２を監視観測施設情報２１４に関連付けて管理することで、砂防情報の付加情報も基本情報から簡単な操作で参照可能とし、効率よく管理することができる。
【０２６２】
また、本発明の砂防関連情報管理システムは、台帳管理部２０と事業進捗管理部５０および監視観測情報解析部６０間のインターフェースを利用することで、他の情報管理システム等を組み込んで拡張することができる。
【符号の説明】
【０２６３】
１  端末
２  通信ネットワーク
１０  システム制御部
２０  台帳管理部
３０  砂防基盤図管理部
４０  三次元解析部
５０  事業進捗管理部
６０  監視観測情報解析部
１１  システム制御データベース
２１  砂防情報基本データベース
２２  砂防情報基本ファイルデータ
３１  砂防情報基本地図データ
４１  三次元地図データ
５１  事業進捗データベース
５２  事業進捗ファイルデータ
６１  監視観測情報データベース
６２  監視観測情報ファイルデータ
２１０  砂防設備情報
２１１  砂防指定地情報
２１２  業務情報
２１３  工事情報
２１４  監視観測施設情報
２１５  光ケーブル情報
２１６  工事用道路情報
２１７  災害記録情報
２１８  ボーリング調査結果情報
２１９  事業箇所情報
２１０ａ  砂防設備管理テーブル
２２０ａ  砂防設備台帳ファイル
２２０ｂ  砂防設備完成図面ファイル
２２０ｃ  砂防設備完成写真ファイル
２２０ｄ  砂防設備点検台帳ファイル
２１１ａ  砂防指定地関連砂防設備テーブル
２１１ｂ  砂防指定地管理テーブル
２１１ｃ  砂防指定地関連流域テーブル
２２１ａ  砂防指定地台帳ファイル
２２１ｂ  砂防指定地区域図ファイル
２２１ｃ  砂防指定地地番図ファイル
２２１ｄ  砂防指定地地名・地番新旧対照表ファイル
２１２ａ  業務関連砂防設備テーブル
２１２ｂ  業務管理テーブル
２１２ｃ  業務関連流域テーブル
２２２  業務成果品ファイル
２１３ａ  工事関連砂防設備テーブル
２１３ｂ  工事管理テーブル
２１３ｃ  工事関連流域テーブル
２２３ａ  工事台帳ファイル
２２３ｂ  工事完成図書ファイル
２１４ａ  監視観測施設管理テーブル
２２４  監視観測施設台帳ファイル
２１５ａ  光ケーブル管理テーブル
２２５  光ケーブル布設平面図ファイル
２１６ａ  工事用道路管理テーブル
２２６  工事用道路台帳ファイル
２１７ａ  災害記録関連砂防設備テーブル
２１７ｂ  災害記録管理テーブル
２１７ｃ  災害記録関連監視観測施設テーブル
２２７  災害記録ファイル
２１８ａ  ボーリング調査結果関連砂防設備テーブル
２１８ｂ  ボーリング調査結果管理テーブル
２２８ａ  ボーリング交換用ファイル
２２８ｂ  柱状図ファイル
２２８ｃ  コア写真ファイル
２１９ａ  事業箇所関連砂防設備テーブル
２１９ｂ  事業箇所管理テーブル
２２９  事業箇所関連ファイル
３１０  砂防設備位置地図データ
３１１  砂防指定地範囲地図データ
３１２  流域位置地図データ
３１４  監視観測施設位置地図データ
３１５  光ケーブル位置地図データ
３１６  工事用道路位置地図データ
３１７  災害発生位置地図データ
３１８  ボーリング位置地図データ
３１９ａ  事業箇所地図データ
３１９ｂ  事業箇所位置地図データ
５１０ａ  事業進捗関連事業箇所テーブル
５１０ｂ  事業進捗管理テーブル
５２０  事業進捗関連ファイル
６１０ａ  監視観測情報関連監視観測施設テーブル
６１０ｂ  監視観測情報管理テーブル
６２０  監視観測情報関連ファイル
ｂ１  「台帳・図面・写真」ボタン
ｂ２  「地図表示」ボタン
ｂ３  「砂防指定地」ボタン
ｂ４  「業務」ボタン
ｂ５  「工事」ボタン
ｂ６  「災害記録」ボタン
ｃ４  地図操作メニュー
ｃ５  地図操作ツールバー
ｃ６  地図表示部
ｃ４１  「計測」ボタン
ｃ４２  「座標計測」ボタン
ｃ４３  「距離計測」ボタン
ｃ４４  「面積計測」ボタン
ｃ４５  「地図から検索」コンボボックス
ｃ４１１  「計測ツール」画面
ｃ５１  「流域検索」ツールバー
ｃ５２  「住所検索」ツールバー
ｃ５３  「三次元解析」ツールバー
ｃ５３１  「断面図の測線描画」ボタン
ｃ５３２  「三次元表示」ボタン
【図１】
2011059818.tif 000003
【図２】
2011059818.tif 000004
【図３】
2011059818.tif 000005
【図４】
2011059818.tif 000006
【図５】
2011059818.tif 000007
【図６】
2011059818.tif 000008
【図７】
2011059818.tif 000009
【図８】
2011059818.tif 000010
【図９】
2011059818.tif 000011
【図１０】
2011059818.tif 000012
【図１１】
2011059818.tif 000013
【図１２】
2011059818.tif 000014
【図１３】
2011059818.tif 000015
【図１４】
2011059818.tif 000016
【図１５】
2011059818.tif 000017
【図１６】
2011059818.tif 000018
【図１７】
2011059818.tif 000019
【図１８】
2011059818.tif 000020
【図１９】
2011059818.tif 000021
【図２０】
2011059818.tif 000022
【図２１】
2011059818.tif 000023
【図２２】
2011059818.tif 000024
【図２３】
2011059818.tif 000025
【図２４】
2011059818.tif 000026
【図２５】
2011059818.tif 000027
【図２６】
2011059818.tif 000028
【図２７】
2011059818.tif 000029
【図２８】
2011059818.tif 000030
【図２９】
2011059818.tif 000031
【図３０】
2011059818.tif 000032
【図３１】
2011059818.tif 000033
【図３２】
2011059818.tif 000034
【図３３】
2011059818.tif 000035
【図３４】
2011059818.tif 000036
【図３５】
2011059818.tif 000037
【図３６】
2011059818.tif 000038
【図３７】
2011059818.tif 000039
【図３８】
2011059818.tif 000040
【図３９】
2011059818.tif 000041
【図４０】
2011059818.tif 000042
【図４１】
2011059818.tif 000043
【図４２】
2011059818.tif 000044
【図４３】
2011059818.tif 000045
【図４４】
2011059818.tif 000046
【図４５】
2011059818.tif 000047
【図４６】
2011059818.tif 000048
【図４７】
2011059818.tif 000049
【図４８】
2011059818.tif 000050
【図４９】
2011059818.tif 000051
【図５０】
2011059818.tif 000052
【図５１】
2011059818.tif 000053
【図５２】
2011059818.tif 000054
【図５３】
2011059818.tif 000055
【図５４】
2011059818.tif 000056
【図５５】
2011059818.tif 000057
【図５６】
2011059818.tif 000058
【図５７】
2011059818.tif 000059
【図５８】
2011059818.tif 000060
【図５９】
2011059818.tif 000061
【図６０】
2011059818.tif 000062
【図６１】
2011059818.tif 000063
【図６２】
2011059818.tif 000064
【図６３】
2011059818.tif 000065
【図６４】
2011059818.tif 000066
【図６５】
2011059818.tif 000067
【図６６】
2011059818.tif 000068
【図６７】
2011059818.tif 000069